(57)【特許請求の範囲】
【請求項１】
導電性で弾性のある材料で形成されたビーズ状部材が導電性または絶縁性の連結部材で連結され筐体内に収納される電子機器からの電磁波の漏れを防ぐためのシールド構造のガスケットを、電子機器を収納する筐体と筐体の扉とのいずれかに装着するためのガスケット取付構造であって、
前記筐体または前記扉における前記ガスケットの先端および末端のビーズ状部材を収納する部分に固定穴が設けられ、
前記筐体または前記扉におけるガスケット装着ルート上で、前記ガスケットの連結部材を収納する部分に固定穴が設けられ、
前記ガスケットの先端および末端の前記ビーズ状部材を収納する固定穴における連結部材が引き出される部分に切り欠き部が設けられ、
前記連結部材を収納する固定穴の上部に連結部材脱落防止用の舌状部分が設けられている
ガスケット取付構造。
【請求項２】
電子機器を収納する筐体と、筐体の扉と、前記筐体または前記扉のいずれかに装着されるガスケットであって筐体内に収納される電子機器からの電磁波の漏れを防ぐためのシールド構造のガスケットとを含む電子機器収納構造であって、
前記ガスケットは、導電性で弾性のある材料で形成されたビーズ状部材が導電性または絶縁性の連結部材で連結された構造であり、
前記筐体または前記扉における前記ガスケットの先端および末端のビーズ状部材を収納する部分に固定穴が設けられ、
前記筐体または前記扉におけるガスケット装着ルート上で、前記ガスケットの連結部材を収納する部分に固定穴が設けられ、
前記ガスケットの先端および末端の前記ビーズ状部材を収納する固定穴における連結部材が引き出される部分に切り欠き部が設けられ、
前記ガスケットの連結部材を収納する固定穴の上部に連結部材脱落防止用の舌状部分が設けられ、
前記扉が閉じられたときに、前記ビーズ状部材が圧縮される構造の電子機器収納構造。
【請求項３】
ビーズ状部材は導電性ゴムで形成されている
請求項２記載の電子機器収納構造。
【発明の詳細な説明】
【０００１】
【発明の属する技術分野】
本発明は、電子設備や電子機器を収納する筐体に対して、他の機器に対するＥＭＩを低減する対策を施すためのガスケット取付構造および電子機器収納構造に関する。
【０００２】
【従来の技術】
電子交換機パッケージなどの電子設備や電子機器（以下、単に電子機器という。）から発生する電磁妨害波によって他の電子機器等に電磁障害（ＥＭＩ：ElectroMagnetic Interference）が与えられないようにするＥＭＩ対策として、接地された金属製の筐体に電子機器を閉じこめる方式がある。例えば、特公平６−９１３３３号公報には、筐体と扉とを有する構造において、扉を閉鎖したときに、細長い部材で扉や掛け止めに無理な力を加えずに金属製ガスケットを圧縮して筐体を電磁遮断するようにした筐体のシールド構造が記載されている。
【０００３】
しかし、そのようなシールド構造では、ガスケットと筐体および扉とが密着する面積が大きくなる。すると、扉を閉じるときのガスケットの圧縮力が大きくなって、筐体に対して扉を閉じる作業が難しくなる。
【０００４】
特開平１１−６８３７７号公報には、金属メッシュを筒状に形成したガスケットを扉に設置し、筐体に窪みを設け、筐体と扉を接触させる際にガスケットによる密着度を高めるとともに圧縮度を下げる筐体のシールド構造が記載されている。
【０００５】
【発明が解決しようとする課題】
しかし、そのようなシールド構造では、筐体に窪み部を形成し、ガスケットに筐体の窪み部と嵌り合うような突起部を形成する必要がある。すなわち、筐体と扉とを含むシールド構造が複雑になる。また、そのような構造では、一般に、長い金属メッシュを所望の長さに切断することによってガスケットを形成することになるが、切断部を接着剤等で固める処理を施さないと、ガスケットの末端部にほつれが生じＥＭＩ対策効果が薄れてしまう。すなわち、シールド構造を形成するまでの工程が増えてしまう。
【０００６】
本発明は、上記のような課題を解決するための発明であって、簡単な作業によってガスケットを装着することができ、さらに、交換も容易になるガスケット取付構造および電子機器収納構造を提供することを目的とする。
【０００８】
【課題を解決するための手段】
本発明によるガスケット取付構造は、導電性で弾性のある材料で形成されたビーズ状部材が導電性または絶縁性の連結部材で連結され筐体内に収納される電子機器からの電磁波の漏れを防ぐためのシールド構造のガスケットを、電子機器を収納する筐体と筐体の扉とのいずれかに装着するためのガスケット取付構造であって、筐体または扉におけるガスケットの先端および末端のビーズ状部材を収納する部分に固定穴が設けられ、筐体または扉におけるガスケット装着ルート上で、ガスケットの連結部材を収納する部分に固定穴が設けられ、ガスケットの先端および末端のビーズ状部材を収納する固定穴における連結部材が引き出される部分に切り欠き部が設けられ、連結部材を収納する固定穴の上部に連結部材脱落防止用の舌状部分が設けられていることを特徴とする。
【０００９】
本発明による電子機器収納構造は、電子機器を収納する筐体と、筐体の扉と、筐体または扉のいずれかに装着されるガスケットであって筐体内に収納される電子機器からの電磁波の漏れを防ぐためのシールド構造のガスケットとを含む電子機器収納構造であって、ガスケットが、導電性で弾性のある材料で形成されたビーズ状部材が導電性または絶縁性の連結部材で連結された構造であり、筐体または扉におけるガスケットの先端および末端のビーズ状部材を収納する部分に固定穴が設けられ、筐体または扉におけるガスケット装着ルート上で、ガスケットの連結部材を収納する部分に固定穴が設けられ、ガスケットの先端および末端のビーズ状部材を収納する固定穴における連結部材が引き出される部分に切り欠き部が設けられ、ガスケットの連結部材を収納する固定穴の上部に連結部材脱落防止用の舌状部分が設けられ、扉が閉じられたときにビーズ状部材が圧縮される構造であることを特徴とする。
【００１０】
ビーズ状部材は、導電性ゴムで形成されていることが好ましい。
【００１１】
ガスケットの先端および末端のビーズ状部材を収納する固定穴における連結部材が引き出される部分に切り欠き部が設けられ、ガスケットの連結部材を収納する固定穴の上部に連結部材脱落防止用の舌状部分が設けられていることが好ましい。
【００１２】
【発明の実施の形態】
以下、本発明の実施の形態を図面を参照して説明する。図１は、本発明によるガスケット、ガスケット取付構造および電子機器収納構造の一例を示す斜視図である。また、図２は、図１の一部を拡大して示す部分斜視図である。図１および図２に示すように、電子機器収納構造は、電子機器を収納する筐体１と、蝶番等で筐体１に取り付けられている扉（カバー）２と、カバー２における筐体１との接触部分に設置されたガスケット３とを含む。なお、ガスケット３は、四辺のそれぞれに設置される４本のガスケットからなっていてもよいが、１本のガスケット３で形成されていることが好ましい。また、筐体１は、一般に接地される。
【００１３】
図３は、ガスケット３の構造を詳細に示す斜視図である。図３に示すように、ガスケット３は、多数のビーズ部分（ビーズ状部材）３ａが、連結部分（連結部材）３ｂで連結された構造を有する。この構造をビーズ連続型と呼ぶことにする。ビーズ部分３ａの形状はビーズ状である。ビーズ状とは、例えば球状であるが楕円状や管状であってもよい。また、ビーズ部分３ａは、導電性ゴムなどの導電性で弾性のある材料で形成される。それぞれのビーズ部分３ａは、筐体１とカバー２とに接触してＥＭＩ対策効果を発揮するので均一に形成される。球状であれば均一な直径（例えば５ｍｍ）で形成される。
【００１４】
連結部分３ｂは、隣り合うビーズ部分３ａを接続する役割を果たすのみであるから、導電性金属材料のピンや線材で形成されたり、絶縁性材料で形成される。
ピンや線材で形成される場合、各ビーズ部分３ａにおける２箇所に穴を設け各穴にピンを挿入して各ビーズ部分３ａを連結したり、各ビーズ部分３ａに貫通孔を設け貫通孔に線材を挿入することによってガスケット３が形成される。また、ビーズ部分３ａと連結部分３ｂとを導電性ゴムによって一体形成することもできる。
【００１５】
図４は、ビーズ連続型の導電性ゴムによるガスケット３が筐体１とカバー２とに密着し、圧縮されている状態を示す断面図である。ビーズ部分３ａと筐体１およびカバー２との接触面積は小さいので、カバー２を閉じるときの圧縮力を小さくすることができ、カバー２を閉じる作業は容易である。また、ビーズ部分３ａが圧縮されることによって筐体１およびカバー２との接触が点接触ではなく面接触になるので、筐体１とカバー２との電気的接触を大きくすることができ、筐体１とカバー２のインピーダンスを低くすることができる。
【００１６】
図５および図６は、ガスケット３のカバー２への装着方法を説明するための斜視図である。図５に示すように、カバー２において、１本のガスケット３の先端部および末端部のビーズ部分３ａが装着される部分には、ビーズ形状が嵌り込む凹部である固定穴２ａが設けられる。この実施の形態では、カバー２の表面における凹部の形状は円形である。固定穴２ａの連結部分３ｂが引き出される部分には、切り欠き部が設けられる。
【００１７】
また、ガスケット３が設置されるルート上において、一定の間隔で固定穴２ｂが設けられる。固定穴２ｂは、連結部分３ｂが嵌り込む溝部であり、カバー２の表面において、溝部の天井の一部を塞ぐように舌状部分が設けられている。連結部分３ｂは固定穴２ｂの溝部に装着され、連結部分３ｂが外れることが舌状部分によって防止される。なお、この実施の形態では、カバー２の表面における凹部の形状は四辺形（舌状部分を除いて）である。
【００１８】
ガスケット３をカバー２に装着する場合には、作業者は、まず、ガスケット３の先端のビーズ部分３ａを、先端および末端の２箇所の固定穴２ａのうちの一方の固定穴２ａに嵌め込む。そして、ガスケット３を延伸させつつ、一定間隔で設けられている固定穴２ｂに連結部分３ｂを装着する。最後に、ガスケット３の末端のビーズ部分３ａを他方の固定穴２ａに嵌め込む。このように、作業者は、単にビーズ部分３ａおよび連結部分３ｂを順に固定穴２ａまたは固定穴２ｂに嵌めていくだけで装着作業を完了することができる。すなわち、工具を使用せずにガスケット３の装着作業を完了することができる。また、ガスケット３を交換する作業も容易である。さらに、ガスケット３の末端にほつれが生ずるようなことはない。
【００１９】
そして、カバー２を閉じる場合に、例えば球状のビーズ部分３ａのみが筐体１に接触するだけであるから発生する圧縮力は低くカバー２を閉じることも容易である。また、ビーズ部分３ａが面接触によって筐体１とカバー２とに接するので、筐体１とカバー２との電気的接触を密にすることができ、電磁妨害波の漏れを効果的に抑止することができる。
【００２０】
なお、上記の実施の形態では、ガスケット３はカバー２に装着されたが、筐体１に装着されてもよい。筐体１に装着される場合には、筐体１におけるカバー２と接触する部分に、固定穴２ａ，２ｂが形成される。
【００２１】
以上に説明したように、上記の実施の形態では、ガスケット取付構造は、導電性で弾性のある材料で形成されたビーズ部分３ａが導電性または絶縁性の連結部分３ｂで連結された構造のガスケット３を、電子機器を収納する筐体１とカバー２とのいずれかに装着するためのガスケット取付構造であって、筐体１またはカバー２におけるガスケット３の先端および末端のビーズ部分３ａを収納する部分に固定穴２ａが設けられ、筐体１またはカバー２におけるガスケット装着ルート上に所定間隔でガスケット３の連結部分３ｂを収納する部分に固定穴３ｂが設けられている構造である。
【００２２】
また、電子機器収納構造は、電子機器を収納する筐体１と、カバー２と、筐体１またはカバー２のいずれかに装着されるガスケット３とを含む電子機器収納構造であって、ガスケット３が、導電性で弾性のある材料で形成されたビーズ部分３ａが導電性または絶縁性の連結部分３ｂで連結された構造であり、扉が閉じられたときにビーズ状部材が圧縮される構造である。
【００２４】
【発明の効果】
本発明によれば、ガスケット取付構造を、筐体または扉におけるガスケットの先端および末端のビーズ状部材を収納する部分に固定穴が設けられ、筐体または扉におけるガスケット装着ルート上でガスケットの連結部材を収納する部分に固定穴が設けられている構造にしたので、ガスケットの装着および交換が容易になるという効果がある。
【００２５】
そして、電子機器収納構造を、ガスケットが、導電性で弾性のある材料で形成されたビーズ状部材が導電性または絶縁性の連結部材で連結された構造であり、扉が閉じられたときにビーズ状部材が圧縮される構造にしたので、筐体と扉との電気的接触を密にすることができ、電磁妨害波の漏れを効果的に抑止することができる効果がある。
【図面の簡単な説明】
【図１】  ガスケット、ガスケット取付構造および電子機器収納構造の一例を示す斜視図である。
【図２】  図１の一部を拡大して示す部分斜視図である。
【図３】  ガスケットの構造を詳細に示す斜視図である。
【図４】  ガスケットが筐体とカバーとに密着し、圧縮されている状態を示す断面図である。
【図５】  ガスケットのカバーへの装着方法を説明するための斜視図である。
【図６】  ガスケットのカバーへの装着方法を説明するための斜視図である。
【符号の説明】
１    筐体
２    カバー（扉）
２ａ，２ｂ  固定穴
３    ガスケット
３ａ  ビーズ部分（ビーズ状部材）
３ｂ  連結部分（連結部材）
【図１】
0004564701.tif 000002
【図２】
0004564701.tif 000003
【図３】
0004564701.tif 000004
【図４】
0004564701.tif 000005
【図５】
0004564701.tif 000006
【図６】
0004564701.tif 000007